【事件の表示】
　特許第２８０２０８５号「画像ファイルシステム」の請求項１に係る特許に対する特許異議の申立てについて、次のとおり決定する。
【結論】
　訂正を認める。
　特許第２８０２０８５号の請求項１に係る特許を維持する。
【理由】
１．手続の経緯
　特許第２８０２０８５号の請求項１に係る発明の手続きの経緯は、以下のとおりである。
　出願　　　　　　　　平成１年１月３０日
　設定登録　　　　　　平成１０年７月１０日
　特許異議の申立て　　平成１１年３月１８日
　　（旭光学工業株式会社）
　取消理由通知　　　　平成１１年６月１０日
　意見書、訂正請求　　平成１１年８月２５日
２．訂正の適否についての判断
２−１．訂正の内容
　訂正明細書における訂正の内容は以下の▲１▼〜▲３▼のとおりである。
▲１▼願書に添付した明細書において、特許請求の範囲の請求項１に係る記載
「内視鏡よりの画像信号を扱う、画像ファイルシステムであり、撮像手段による画像信号に対する信号処理を行なう信号処理手段と、前記画像信号を時系列画像として録画可能な時系列画像記録部と、前記時系列画像記録部の動作中に、前記画像信号を静止画像として記録可能な静止画像記録部と、前記静止画像記録部に記録される静止画像と、前記時系列画像記録手段に記録される時系列画像との時間的位置関係を、静止画像より時系列画像を検索可能に関連させて記録保持する情報データの記録部と、を具備することを特徴とする画像ファイルシステム。」を
「内視鏡よりの画像信号を扱う、画像ファイルシステムであり、撮像手段による画像信号に対する信号処理を行なう信号処理手段と、前記画像信号を時系列画像として録画可能な時系列画像記録部と、前記時系列画像記録部の動作中に、前記画像信号を静止画像として記録可能な静止画像記録部と、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部と、を具備することを特徴とする画像ファイルシステム。」と訂正する。
▲２▼同じく、発明の詳細な説明、明細書第３頁の
［問題点を解決する手段及び作用］の項中「上記の目的を達成するために、第１の発明による画像ファイルシステムは、・・・情報データの記録部とを有することを特徴とする。」を
「上記の目的を達成するために、第１の発明による画像ファイルシステムは、内視鏡よりの画像信号を扱う画像ファイルシステムであり、撮像手段による画像信号に対する信号処理を行なう信号処理手段と、前記画像信号を時系列画像として録画可能な時系列画像記録部と、前記時系列画像記録部の動作中に、前記画像信号を静止画像として記録可能な静止画像記録部と、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部とを有することを特徴とする。」と訂正する。
▲３▼同じく、発明の詳細な説明、明細書第３頁の
［問題点を解決する手段及び作用］の項中「「従って、第１の発明による画像ファイルシステムは、内視鏡からの画像信号を・・・関連させて記録保持する。」を
「従って、第１の発明による画像ファイルシステムは、内視鏡からの画像信号を扱い、信号処理手段が撮像手段による画像信号に対する信号処理を行ない、時系列画像記録部は前記画像信号を時系列画像として記録し、静止画像記録部は前記時系列画像記録部の動作中に前記画像信号を静止画像として記録する。そして、記録部は、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する。」と訂正する。
２−２．訂正の目的の適否、新規事項の有無及び拡張・変更の存否
　訂正の内容▲１▼について
　これは、願書に添付した明細書の発明の詳細な説明を根拠にした特許請求の範囲の減縮、及び誤記の訂正に該当する。
　訂正の内容▲２▼、▲３▼について
　これらは、上記▲１▼の訂正に伴うもので、明瞭でない記載の釈明に該当する。
　そして、これらの訂正の内容は、願書に添付した明細書又は図面に記載した事項の範囲内であり、実質的に特許請求の範囲を拡張又は変更するものではない。
２−３．独立特許要件
（訂正明細書に記載の発明）
　訂正明細書において、請求項１に係る発明（以下「本件発明」という）は、前記２−１．訂正の内容▲１▼に記載したとおりである。
（引用刊行物）
　当審が通知した特許法第２９条第２項についての取消理由において、引用された刊行物１、２には、次の発明が記載されている。
　刊行物１．特開昭６１−２０９６３０号公報
　「内視鏡装置により得られる経内視鏡像をテレビジョン信号に変換してモニタに表示したり、ＶＴＲに記録したりすることは従来より行われている。また、このような経内視鏡像のテレビジョン信号をスチール画像信号として半導体メモリまたは磁気ディスクなどに記録する装置が実用化されている。」（１頁右下欄１０〜１６行）ことが記載され、また、「第１図に示す内視鏡テレビシステムによると、内視鏡１１の接眼部１１ａにはＴＶカメラ１２が装着され、ユニバーサルコード１１ｂは内視鏡１１内に照明光を導入する光源ユニット１３に接続される。ＴＶカメラ１２は内視鏡テレビ装置部１４のカメラコントロールユニット１５に接続される。カメラコントロールユニット１５の出力端子はＤＳ（データセット）ユニット１６が接続されているＤＳコントローラ１７に接続される。ＤＳユニット１６は患者情報などを設定するための装置であり、その情報はＤＳコントローラ１７によって処理される。
　ＤＳコントローラ１７は第２図に示すようにＤＳユニット１６からの情報を処理するワンチップマイクロプロセッサ１７ａを含んでいる。このマイクロプロッセサ１７ａはスーパーインポーザ１７ｂに接続される。スーパーインポーザ１７ｂには、例えば松下電子製ＭＮ１２６７のＣＲＴインターフェイス用ＬＳＩが含まれている。カメラコントロールユニット１５の出力に接続された同期信号分離回路１７ｃの同期信号端子はスーパーインポーザ１７ｂに接続され、ビデオ信号出力端子は重畳回路１７ｄに接続される。重畳回路１７ｄの出力端子はＶＴＲ１８及びモニタ１９に接続される。
　画像信号を得るためにＴＶカメラ１２を用いる代わりに固体撮像装置を内蔵した内視鏡を用いてもよく、画像信号を再生するＶＴＲでもよい。
　ＤＳコントローラ１７のマイクロプロセッサ１７ａは電子カルテ装置部２０のインターフェイス（Ｉ／Ｆ）回路２１を介してＣＰＵ２２に接続される。
ＣＰＵ２２はメモリ２３に接続され、Ｉ／Ｏ回路２４を介してディスプレイ２５に接続される。ＣＰＵ２２はまた、Ｉ／Ｏ回路２６及び２８を介してディスク装置２７及びカルテをプリント出力するプリンタ２９に夫々接続される。キーボード３０がＩ／Ｏ回路３１を介してＣＰＵ２２に接続される。」（２頁右上欄２行〜同頁左下欄１６行）内視鏡テレビシステムが記載されている。
　刊行物２．特開昭６３−３１３３８３号公報
　「１又は複数の磁気テープを好ましくは高速で再生して、当該磁気テープに記録されている各映像の１フィールド分の映像信号、インデックス信号及びタイム・コードなどをスチル・ビデオ・ディスクに記録する。そして、目的の映像がどのビデオ・テープのどの箇所に記録されているかを確認する場合には、上記の如く検索用データが記録されているスチル・ビデオ・ディスクを順に、又は１画面あたり複数のデータを表示装置１６で表示すればよい。同様にして、１又は複数のビデオ・テープに記録されている内容の概略を確認できる。」（２頁右下欄１３行〜３頁左上欄４行）ことが記載され、また「検索情報がスチル・ビデオ記録再生装置１２によりスチル・ビデオ・ディスクに記録された状態では、以下のようにしてビデオ・テープの記録映像が再生される。即ち、先ずスチル・ビデオ記録再生装置１２により、スチル・ビデオ・ディスクを再生して表示装置１６に検索情報を表示させる。そして所望カットを選択し、キーボード等の入力装置（図示せず）によりその選択の指示を与えると、スチル・ビデオ記録再生装置１２は、該当する検索情報をＶＴＲ１０に伝える。ＶＴＲ１０はその検索情報に従いビデオ・テープを該当箇所まで高速送りし、目的映像を通常再生して表示装置１６に印加する。これにより、表示装置１６は、検索指定用の静止画表示から目的映像の動画表示に切り換わることになる。」（４頁左上欄１６行〜同頁右上欄１０行）記録装置が記載されている。
　（対比・判断）
　本件発明と刊行物１、２に記載された発明とを対比すると、本件発明における「前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部」という構成要件は、刊行物１、２のいずれにも記載されていないし示唆されてもいない。
　そして、本件発明は、上記の構成要件により、検査後に、その患者に関する画像を、静止画で検索し、注目する静止画をさらに時系列でも調べようと望む場合、その指示を行えば、その静止画のレリーズ時刻での時系列画像を瞬時に検索することができるという、刊行物１、２に記載の発明から予測できない明細書記載の効果を奏するものと認める。
　してみると、本件発明は、刊行物１、２に記載された発明に基づいて、当業者が容易に発明をすることができたものではなく、特許出願の際独立して特許を受けることができるものである。
２−４．むすび
　したがって、上記訂正請求は、特許法等の一部を改正する法律（平成６年法律第１１６号）附則第６条第１項によりなお従前の例によるとされる、第１２０条の４第２項及び同条第３項で準用する第１２６条第２〜４項の規定に適合するので、当該訂正を認める。
３．特許異議の申立てについて
　特許異議申立人は、訂正前明細書の特許請求の範囲の請求項１に係る発明は、甲第１、２号証（それぞれ前記刊行物１、２と同じ）に記載された発明に基づき容易に発明をすることができたものであり、特許法第２９条第２項の規定により特許を受けることができないものであるから、前記発明に係る特許は取り消されるべき旨主張している。
　ところが、訂正後の請求項１に係る発明については、前記２−３．で述べたとおり刊行物１、２に記載された発明に基づき容易に発明をすることができたものとすることができない。
　したがって、特許異議申立ての理由及び証拠によっては、本件発明の特許を取り消すことができない。
　そして、他に本件発明の特許を取り消すべき理由を発見しない。
　よって、結論のとおり決定する。
【異議決定日】
平成１１年９月２７日（１９９９．９．２７）
【訂正の要旨】
　特許第２８０２０８５号発明の明細書を、本件訂正請求書に添付された訂正明細書のとおりに、すなわち特許請求の範囲の減縮を目的として下記（１）のとおり、また、誤記の訂正を目的として下記（２）のとおり、更に、明瞭でない記載の釈明を目的として下記（３）、（４）のとおりに訂正する。
（１）特許請求の範囲の請求項１の「前記画像信号を静止画像として記録可能な静止画像記録部と、前記静止画像記録部に記録される静止画像と、」を、「前記画像信号を静止画像として記録可能な静止画像記録部と、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、」に訂正する。
（２）特許請求の範囲の請求項１の「前記時系列画像記録手段に記録される時系列画像との時間的位置関係を、」を、「前記時系列画像記録部に記録される時系列画像との時間的位置関係を、」に訂正する。
（３）明細書における発明の詳細な説明の欄、明細書第３頁の［問題点を解決する手段及び作用］の項中「上記の目的を達成するために、第１の発明による画像ファイルシステムは、・・・情報データの記録部とを有することを特徴とする。」（特許公報第３欄第３１〜４１行）を、「上記の目的を達成するために、第１の発明による画像ファイルシステムは、内視鏡よりの画像信号を扱う画像ファイルシステムであり、撮像手段による画像信号に対する信号処理を行なう信号処理手段と、前記画像信号を時系列画像として録画可能な時系列画像記録部と、前記時系列画像記録部の動作中に、前記画像信号を静止画像として記録可能な静止画像記録部と、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部とを有することを特徴とする。」に訂正する。
（４）明細書における発明の詳細な説明の欄、明細書第３頁の［問題点を解決する手段及び作用］の項中「従って、第１の発明による画像ファイルシステムは、内視鏡からの画像信号を・・・関連させて記録保持する。」（特許公報第４欄第１０〜１９行）を、「従って、第１の発明による画像ファイルシステムは、内視鏡からの画像信号を扱い、信号処理手段が撮像手段による画像信号に対する信号処理を行ない、時系列画像記録部は前記画像信号を時系列画像として記録し、静止画像記録部は前記時系列画像記録部の動作中に前記画像信号を静止画像として記録する。そして、記録部は、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する。」に訂正する。
（５４）【発明の名称】
画像ファイルシステム
（５７）【特許請求の範囲】
（１）内視鏡よりの画像信号を扱う、画像ファイルシステムであり、
　撮像手段による画像信号に対する信号処理を行なう信号処理手段と、
　前記画像信号を時系列画像として録画可能な時系列画像記録部と、
　前記時系列画像記録部の動作中に、前記画像信号を静止画像として記録可能な静止画像記録部と、
　前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部と、
　を具備することを特徴とする画像ファイルシステム。
（２）前記静止画像より任意の静止画像を選択する選択手段と、前記選択された静止画像に対応する時系列画像を検索する検索手段と、前記検索された時系列画像を所定の時間間隔の複数の静止画像に変換する変換手段と、前記所定の時間間隔を任意に設定可能な時間間隔設定手段と、を、さらに有することを特徴とする請求項１に記載の画像ファイルシステム。
（３）内視鏡よりの画像信号を扱う、画像ファイルシステムであり、撮像手段による画像信号に対する信号処理を行って時系列画像を生成する信号処理手段と、前記時系列画像を所定の時間間隔の複数の静止画像として記録可能な画像記録部と、前記静止画像として記録可能な時系列画像の信号成分と以前の信号成分との差のデータを予め設定されたデータと比較する信号比較手段と、この信号比較手段での比較結果に基づいて前記所定の時間間隔を変更する時間間隔変更手段と、を有することを特徴とする画像ファイルシステム。
【発明の詳細な説明】
［産業上の利用分野］
　本発明は静止画と時系列画とを共通して制御する画像ファイルシステムに関する。
［従来の技術］
　近年、体腔内に細長の挿入部を挿入することにより、体腔内臓器等を観察したり、必要に応じて処置具チャンネル内に挿通した処置具を用いて各種治療処置のできる内視鏡（スコープまたはファイバスコープとも呼ぶ。）が広く用いられている。
　また、電荷結合素子（ＣＣＤと記す。）等の固体撮像素子を撮像手段に用いた電子スコープも種々使用されている。この電子スコープはファイバスコープに比べ解像度が高く、画像の記録及び再生等が容易であり、また、画像の拡大や２画面の比較等の画像処理が容易にできる等の利点を有する。
　上記電子スコープによって映像化された内視鏡像は画像記録装置に記録されるが、静止画像同様時系列画像も記録再生したいという要望が強くなっている。
　なお、本出願人は特願昭６３−２７７９１３号で、複数の静止画像ファイル装置に記録制御する技術を提案した。
［発明が解決しようとする課題］
　しかしながら、上記提案では、時系列画像と静止画像を同時に扱えるものでなかった。このため、例えば記録された画像ファイルに対し所望とする画像を検索する場合、検索に手間どる等の欠点があった。
　本発明は上述した点にかんがみてなされたもので、簡単な構成で容易に時系列画像と静止画像を記録、検索できる画像ファイルシステムを提供することを目的とする。
［課題を解決するための手段および作用］
　上記の目的を達成するために、第１の発明による画像ファイルシステムは、内視鏡よりの画像信号を扱う画像ファイルシステムであり、撮像手段による画像信号に対する信号処理を行なう信号処理手段と、前記画像信号を時系列画像として録画可能な時系列画像記録部と、前記時系列画像記録部の動作中に、前記画像信号を静止画像として記録可能な静止画像記録部と、前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する情報データの記録部とを有することを特徴とする。
　また第２の発明は、第１の発明による画像ファイルシステムにおいて、前記静止画像より任意の静止画像を選択する選択手段と、前記選択された静止画像に対応する時系列画像を検索する検索手段と、前記検索された時系列画像を所定の時間間隔の複数の静止画像に変換する変換手段と、前記所定の時間間隔を任意に設定可能な時間間隔設定手段とを、さらに有することを特徴とする。
　そして、第３の発明による画像ファイルシステムは、内視鏡よりの画像信号を扱う、画像ファイルシステムであり、撮像手段による画像信号に対する信号処理を行って時系列画像を生成する信号処理手段と、前記時系列画像を所定の時間間隔の複数の静止画像として記録可能な画像記録部と、前記静止画像として記録可能な時系列画像の信号成分と以前の信号成分との差のデータを予め設定されたデータと比較する信号比較手段と、この信号比較手段での比較結果に基づいて前記所定の時間間隔を変更する時間間隔変更手段と、を有することを特徴とする。
　従って、第１の発明による画像ファイルシステムは、内視鏡からの画像信号を扱い、信号処理手段が撮像手段による画像信号に対する信号処理を行ない、時系列画像記録部は前記画像信号を時系列画像として記録し、静止画像記録部は前記時系列画像記録部の動作中に前記画像信号を静止画像として記録する。そして、記録部は前記時系列画像記録部に対して前記時系列画像の記録の開始を指示する信号及び停止を指示する信号、並びに前記静止画像記録部に対して前記静止画像の記録を指示するための信号の各信号を時系列的に記録することで、前記静止画像記録部に記録される静止画像と、前記時系列画像記録部に記録される時系列画像との時間的位置関係を、静止画像より時系列画像を検索可能に関連させて記録保持する。
　また、第２の発明は、第１の発明による画像ファイルシステムにおいて、選択手段は前記静止画像より任意の静止画像を選択し、検索手段は前記選択された静止画像に対応する時系列画像を選択する。また、変換手段が前記選択された時系列画像を所定の時間間隔の複数の静止画像に変換し、時間間隔設定手段が前記所定の時間間隔を任意に設定する。
　そして、第３の発明による画像ファイルシステムは、内視鏡よりの画像信号を扱い、信号処理手段が撮像手段による画像信号に対する信号処理を行って時系列画像を生成し、画像記録部が前記時系列画像を所定の時間間隔の複数静止画像として記録し、信号比較手段が前記静止画像として記録可能な時系列画像の信号成分と以前の信号成分との差のデータを予め設定されたデータと比較する。そして、時間間隔変更手段が信号比較手段での比較結果に基づいて前記所定の時間間隔を変更する。
［実　施　例］
　以下、図面を参照して本発明の実施例を説明する。
　第１図ないし第４図は本発明の第１実施例に係り、第１図は第１実施例の画像ファイルシステムの全体概要図、第２図は画像ファイルコントローラの内部構成を説明するブロック図、第３図は内視鏡装置の内部構成を説明するブロック図、第４図は１検査を行った際、メモリ部に記録される情報を示す説明図である。
　第１図において、画像ファイルシステム１は画像信号発生部としての内視鏡装置２と、制御部としての画像ファイルコントローラ３と、画像記録部としての静止画像ファイル装置４Ａ、時系列画像ファイル装置４Ｂとから構成されている。
　上記内視鏡装置２は可撓性で細長に形成され、観察部位６に挿入される挿入部７と、この挿入部７の後端部に連設された操作部８と、この操作部８の側部より延出したユニバーサルケーブル９とを有する電子スコープ１０を有している。
　上記ユニバーサルケーブル９の後端部にはコネクタ１１が設けられており、このコネクタ１１は電子スコープ１０に照明光を供給する光源装置１２に接続されている。このコネクタ１１の側部から信号ケーブル１３が延出されており、この信号ケーブル１３の後端部に設けられたコネクタ１４は画像入力装置１６に接続されている。この画像入力装置１６は電子スコープ１０によって得られた画像信号を信号処理して例えばＲＧＢの３原色信号等のビデオ信号を生成してケーブル１７を経てＴＶモニタ１８Ａで内視鏡画像を表示できるようになっている。
　上記画像入力装置１６で生成されたビデオ信号はケーブル１９を経て上記画像ファイルコントローラ３にも送出されるようになっている。
　上記画像ファイルコントローラ３は、ケーブル２１Ａによって上記静止画像ファイル装置４Ａに接続されている。又この画像ファイルコントローラ３は、ケーブル２１Ｂによって上記時系列画像ファイル装置４Ｂに接続されている。
　第３図により、上記内視鏡装置２を説明する。
　上記電子スコープ１０の挿入部７の先端部には光源装置１２より供給された照明光を観察部位６に出射するファイババンドルによって形成されたライトガイド２２の出射端面が設けられている。このライトガイド２２は挿入部７と操作部８とユニバーサルケーブル９内を挿通され、コネクタ１１を光源装置１２に接続すると、この入射端面には照明光が供給されるようになっている。
　上記挿入部７の先端部には更に、対物レンズ２３が設けられており、この対物レンズ２３の結像位置には固体撮像素子としてのＣＣＤ２４の撮像面が位置するようになっている。このＣＣＤ２４にはこのＣＣＤ２４を駆動する駆動クロックを伝送すると共に撮像面に結像した被写体像を光電変換した電気信号とを伝送する信号線２６（１本で示してある）が接続されている。この信号線２６は挿入部７と操作部８とユニバーサルケーブル９とを経てコネクタ１１に至り、更に、コネクタ１１から信号ケーブル１３を経てコネクタ１４に延長されている。
　上記光源装置１２には光源ランプ３１が設けられており、この光源ランプ３１と上記ライトガイド２２の入射端面とを結ぶ光路上には光源ランプ３１の照明光を平行光とするコリメータレンズ３２と回転フィルタ３３と照明光を集光してライトガイド２２の入射端面に照射する集光レンズ３４とが設けられている。
　上記回転フィルタ３３は円盤状で周方向に例えば赤（Ｒ）、緑（Ｇ）、青（Ｂ）の各色光を透過する色透過フィルタ３４Ｒ，３４Ｇ，３４Ｂが設けられており、この各色透過フィルタ３４Ｒ，３４Ｇ，３４Ｂには上記コリメータレンズ３２によって平行光とされた照明光が入射するようになっている。この回転フィルタ３３はモータ３５によって回転駆動されて、赤、緑、青の各色光を時系列的にライトガイド２２に供給するようになっている。
　上記コネクタ１４を画像入力装置１６に接続することによりＣＣＤ２４は信号線２６を介して画像入力装置１６内に設けられた画像プロセス部３６と電気的に接続されるようになっている。この画像プロセス部３６は駆動クロックを印加してＣＣＤ２４を駆動し、該ＣＣＤ２４から送出される電気信号をＲＧＢビデオ信号に変換して出力するようになっている。また、画像信号レベルＲ，Ｇ，Ｂ信号のホワイトバランス等の制御を行なうようになっている。更に、後述する制御部３７から送られてくる患者データ、エラーメッセージ等をＲＧＢビデオ信号に重畳するようになっている。画像プロセス部３６の出力は画像メモリ３８に送出されるようになっている。この画像メモリ３８は入力されるＲＧＢビデオ信号を制御部３７からの制御信号に応じてそのまま通過させるか、一次保存して静止画として繰返し出力するようになっている。画像メモリ３８の出力は分岐されて一方はＴＶモニタ１８Ａに出力され、画面上に観察部位６の画像を表示するようになっている。又、他方は前記画像ファイルコントローラ３に送出される。
　上記制御部３７は例えばキーボード等のデータ入力部３９及び通信インターフェース４０とに接続されている。データ入力部３９からの使用者の操作によってＲＧＢビデオ信号に重畳する患者名、患者生年月日等の患者データや画像記録（レリーズ）等の制御信号が入力され、患者データは上記したように画像プロセス部３６に送出されてＲＧＢビデオ信号に重畳される。又、制御信号は上記したように画像メモリ３８と通信インターフェース４０とに送出される。この通信インターフェース４０は例えばＲＳ−２３２Ｃ規格によるシリアル伝送のインターフェース手段で制御部３７からの制御により外部とデータ及び制御信号の入出力を行う。通信インターフェース４０は画像ファイルコントローラ３との間でデータ及び制御信号の入出力を行うようになっている。
　上記ＲＧＢ信号とデータ及び制御信号は上記ケーブル１９によって画像ファイルコントローラ３に送出される。
　第２図により、上記画像ファイルコントローラ３を説明する。
　上記画像入力装置１６からのＲＧＢビデオ信号は画像ファイルコントローラ３に設けられたビデオ信号分配部４１に入力されるようになっている。又、データ及び制御信号はＲＳ−２３２Ｃ規格の第１シリアルポート（通信インターフェース）４２に入出力されるようになっている。
　上記ビデオ信号分配部４１より２系統のＲＧＢビデオ信号に分配されて、一方のＲＧＢビデオ信号は上記時系列画像ファイル装置４Ｂに送出される。もう一方のＲＧＢビデオ信号は画像メモリ５１へ送出される。
　上記画像メモリ５１より静止画像のＲＧＢビデオ信号が上記静止画像ファイル装置４Ａへ送出される。
　一方、第１シリアルポート４２はバスライン４３によってＣＰＵ４４とメモリ部４５とハードディスクコントロール部４６と第２シリアルポート４７と第３シリアルポート４８とビデオ信号切換部４９との間でデータ及び制御信号を入出力できるようになっている。ＣＰＵ４４は画像入力装置１６から入力される患者データをハードディスクコントロール部４６を介してハードディスク５０に格納するようになっている。又、ＣＰＵは第１シリアルポート４２に入力された制御信号により、第２シリアルポート４７ヘスタート、ストップ信号を送る。
　また第１シリアルポート４２に入力された制御信号により、第３シリアルポート４８ヘレリーズ信号を送る。
　これらの第２及び第３シリアルポート４７，４８へ送られた情報は、メモリ部４５に記憶され、１検査終了の制御信号が第１シリアルポート４２に入力されると上記ハードディスク５０に患者データと共に格納される。
　更にＣＰＵ４４は、画像入力装置１６からの検索の命令が第１シリアルポート４２に入力されると、ハードディスク５０のデータを参照して、第２シリアルポート４７又は第３シリアルポート４８に検索の制御信号を送ると共に、ビデオ信号切換部４９へ制御信号を送る。この制御信号によりビデオ信号切換部４９は、上記静止画像ファイル装置４Ａ又は、上記時系列画像ファイル装置４ＢからのＲＧＢビデオ信号を選択してＴＶモニタ１８Ｂへ出力する。
　上記第２シリアルポート４７は、スタート、ストップ信号等の時系列画像ファイル装置４Ｂにかかわる制御信号を入出力するようになっている。又、上記第３シリアルポート４８はレリーズ信号等の静止画像ファイル装置４Ａにかかわる制御信号を入出力するようになっている。
　尚、時系列画像ファイル装置４Ｂとしては、ＶＴＲその他の装置で構成できる。
　上記の様に構成された画像ファイルシステム１の作用を説明する。
　画像ファイルコントローラ３には画像入力装置１６が接続されており、この画像入力装置１６からばＲＧＢビデオ信号がビデオ信号分配部４１に入力されている。
　一方、内視鏡装置２で使用者は画像の記録に先だってデータ入力部３９よりＩＤ入カモードを選択し、患者名、患者の生年月日等の患者データを入力する。ＩＤ入カモードが選択されると制御部３７は患者データをＲＧＢビデオ信号に重畳すると共に通信インターフェース４０に患者データを入力する。この患者データは通信インターフェース４０から第１シリアルポート４２に送信される。ＣＰＵ４４は通信可能であることを表す信号を第１シリアルポート４２から通信インターフェース４０に送信する。又、ＣＰＵ４４は指定された患者データをハードディスクコントロール部４６を介してハードディスク５０に格納する。
　前記通信可能であることを表す信号が通信インターフェース４０から制御部３７に送られて、制御部３７は例えばＴＶモニタ１８Ａの画面に記録可能であることを表示する。使用者はこれを見てデータ入力部３９より上記静止画像ファイル装置４Ａへレリーズ信号又は上記時系列画像ファイル装置４Ｂへの録画スタート，ストップ信号を入力する。
　制御部３７は通信インターフェース４０からレリーズ信号や録画スタート，ストツブ信号を第１シリアルポート４２に送信する。ＣＰＵ４４はこの第１シリアルポート４２に送られてきたレリーズ信号や録画スタート，ストップ信号を検知すると、レリーズ信号ならば第３シリアルポート４８から静止画像ファイル装置４Ａへ送信し、録画スタートあるいはストップ信号ならば第２シリアルポート４７から時系列画像ファイル装置４Ｂへ送信する。この場合、図４に示されるように、時系列画像の録画中に、レリーズ信号を入れて静止画像を記録できる。
　静止画像ファイル装置４Ａに記録した最初のアドレス、枚数等や時系列画像ファイル装置４Ｂに記録した最初のアドレス、終りのアドレス等の記録に関する情報は一時メモリ部４５に記憶される。静止画像ファイル装置４Ａ、時系列画像ファイル装置４Ｂへの記録が終了すると、第２シリアルポート４７又は第３シリアルポート４８と第１シリアルポート４２と通信インターフェース４０を介して記録終了の信号が制御部３７に送出され、制御部３７は例えばＴＶモニタ１８Ａの画面上に記録終了を表示する。
　上記の作用が繰り返され、１検査の終了がデータ入力部３９に入力されると、制御部３７と通信インターフェース４０を介して第１シリアルポート４２に検査終了の信号が入力され、ＣＰＵ４４はメモリ部４５を介してハードディスク５０に格納する。
　又、データ入力部３９より画像の検索及び検索データを入力すると、制御部３７と通信インターフェース４０を介して第１シリアルポート４２に検索の命令信号と検索データが入力される。ＣＰＵ４４は、その命令信号と検索データによりハードディスクコントロール部４６を介してハードディスク５０に格納されたデータを参照し、第２シリアルポート４７又は第３シリアルポート４８を介してそれぞれに接続されている時系列画像ファイル装置４Ｂ又は静止画像ファイル装置４Ａへ検索の命令をする。
　同時にＣＰＵ４４は、ビデオ信号切換部４９を、検索画像の出力される静止画像ファイル装置４Ａ又は時系列画像ファイル装置４Ｂからの信号が出力される状態にする。この出力された画像信号はＴＶモニタ１８Ｂに表示される。
　この第１実施例では、静止画像及び時系列画像に関する情報データをハードディスク５０内に共通に管理することにより、所望とする画像の検索を容易に行うことができるようになっている。
　上記静止画像のレリーズ操作及び時系列画像のスタートあるいはストップは、例えば第４図のように一時、メモリ部４５に記憶される。
　例えばある患者に対し、第４図（ａ），（ｂ）に示すように時系列画像の記録（録画）スタート，ストップ及び静止画のレリーズ操作が行われると、メモリ部４５はＩＤデータを格納するメモリ領域の次のメモリ領域に静止画（Ａ）又は時系列画（Ｂ）であるかの識別データＤＳ、録画スタート／レリーズ／録画ストップのデータＤ、経過時間ｔが例えばアドレス順に格納される。このように、図４のメモリ部４５より明らかなように、メモリ部４５には静止画像と時系列画像の時間的位置関係が記録される。
　つまりＣＰＵ４４，は、第１シリアルポート４２を介して、録画スタート信号、レリーズ信号等を受けると、対応する時系列画像ファイル装置４Ｂ，静止画像ファイル装置４Ａ等にその制御信号を送ると共に、メモリ部４５にその信号データを格納する。
　しかして、１検査分の検査が終了すると、これらのデータを編集して、ハードディスク５０内に格納する。この編集により、この患者においては時系列画像ファイル装置４Ｂには時系列データの記録開始及び終了のアドレス等が記録される。（尚、第４図に示すものを編集しないで記憶するようにしても良い。）
　又、静止画像ファイル装置４Ａに記録された最初のアドレス、静止画枚数、各静止画に対する時系列画像アドレス等が記録される（時系列画像に対しても、その記録中に静止画のレリーズが行われているものについては、それらが行われた静止画の番号を記噫して時系列画像と静止画像とを対応づけるようにしても良い）。
　従って、検査後に、その患者に関する画像を検索する場合、例えば静止画で検索し、注目する静止画をさらに時系列画像でも調べようと望む場合、その指示を行えば、その静止画のレリーズ時刻での時系列画像を瞬時に検索して表示させることができる。
　従って、この第１実施例によれば、時系列画像ファイルと静止画像ファイルとを共通に管理していると共に、記録されている両画像を詳しく対応づけて管理しているので、所望とする画像の検索を容易に行うことができる（これに対し、関連づけて記録していないと、静止画像で検索し、その後対応する時系列画像で調べたいとしても、対応づけがないため、その時系列画像を検索するのに手間どる）。
　又、検索しようとする画像ファイルについて、ハードディスク５０で共通に管理している情報データをＴＶモニタ１４Ｂで表示させることができるので、この表示されたデータから記録された静止画像と時系列画像の全体的特徴を短時間で知ることができる（これに対し、対応づけができていないと、時間をかけて対応する時系列画像を検索できたとしても、その時系列画像の記録量が検索を行う程十分に記録されているか否かも分らない。このため、無駄に時間を消費してしまうことがある）。
　又、この第１実施例では、１検査分の画像を２台の記録装置で記録しているために、どちらかの記録装置で記録された記録媒体が再生不可能（例えば紛失や破損）になってもその検査の画像又はその大部分の画像を再生可能である。
　また、記録装置が複数あるために、画像の記録された記録媒体を他の場所に持っていけば同一検査の検索が複数箇所で行える。
　なお、本実施例では２台の記録装置で行ったが、３台以上の記録装置を用いてもよい。
　また、時系列画像再生時、ストップウォッチのデータを表示してもよい。
　また、時系列画像記録時、ストップウォッチのデータを記録してもよい。
　尚、上記第１実施例では、両画像を詳しく対応づけて管理しているが、もっと大まかな対応づけで管理しても良い。
　又、例えば１検査分での時系列データの記録開始、終了アドレスと、静止画の枚数及び各レリーズ時刻のみを記録したものでも良い。
　第５図は本発明の第２実施例における画像ファイルコントローラ３’の構成を示す。
　この第２実施例のシステムは、第１図に示すシステム１において、画像ファイルコントローラ３とは異る構成の画像ファイルコントローラ３’を用いて構成してある。
　この画像ファイルコントローラ３’は、第２図に示す画像ファイルコントローラ３において、ビデオ信号切換部４９の代りに検索された時系列画像を複数の静止画像に変換する変換手段であるビデオ信号編集部１０１が用いてある。
　このビデオ信号編集部１０１には、静止画像ファイル装置４Ａ及び時系列画像ファイル装置４Ｂから、ＲＧＢビデオ信号が入力される。しかして、このビデオ信号編集部１０１からＲＧビデオ信号がモニタ１８Ｂに出力される。
　次に、第６図によりビデオ信号編集部１０１の構成を説明する。
　静止画像ファイル装置４Ａ及び時系列画像ファイル装置４Ｂから、ＲＧＢビデオ信号が信号切換器１０２へ入力される。信号切換器１０２は、２系統のビデオ信号から１系統を選び、ＲＧＢビデオ信号をそれぞれＡ／Ｄ部１０３，１０４，１０５また同期信号をメモリ制御部１０６へ出力する。
　Ａ／Ｄ部１０３によってディジタル化されたデータはＲ１メモリ部１０７へ入力される。Ｒ１メモリ１０７によって保持されたディジタルデータは、Ｒ２メモリ部１０８へ入力される。Ｒ２メモリ１０８によって保持されたディジタルデータは、Ｄ／Ａ部１０９へ入力される。Ｄ／Ａ部１０９によってアナログ化されたＲビデオ信号は、ＴＶモニタ１８ＢへのＲ信号として出力する。
　Ａ／Ｄ部１０４によってディジタル化されたデータはＧ１メモリ部１１１へ入力される。Ｇ１メモリ１１１によって保持されたディジタルデータは、Ｇ２メモリ部１１２へ入力される。Ｇ２メモリ１１２によって保持されたディジタルデータは、Ｄ／Ａ部１１３へ入力される。Ｄ／Ａ部１１３によってアナログ化されたＧビデオ信号は、ＴＶモニタ１８ＢへのＧ信号として出力する。
　Ａ／Ｄ部１０５によってディジタル化されたデータはＢ１メモリ部１１４へ入力される。Ｂ１メモリ１１４によって保持されたディジタルデータは、Ｂ２メモリ部１１５へ入力される。Ｂ２メモリ１１５によって保持されたディジタルデータは、Ｄ／Ａ部１１６へ入力される。Ｄ／Ａ部１１６によってアナログ化されたＧビデオ信号は、ＴＶモニタ１８ＢへのＢ信号として出力する。
　メモリ制御部１０６はクロック信号を前記同期信号に同期したクロック信号をＡ／Ｄ部１０３，１０４，１０５、Ｄ／Ａ部１０９，１１３，１１６へ出力する。
　またメモリ制御部１０６は、同期信号をＴＶモニタ１８Ｂへ出力する。
　ＣＰＵ４４からの命令はバスライン４３を介してメモリ制御部１０６に入力される。
　前記命令によりメモリ制御部１０６は、各メモリ部１０７，１０８，１１１，１１２，１１４，１１５へそれぞれ書込み、読出し信号を出力する。
　また、前記命令により信号切換部１０２へ切換信号を出力する。
　その他の構成は上記第１実施例と同様であり、次にその作用を以下に説明する。
　記録時では、データ入力部３９からレリーズ信号を入力すると、そのレリーズ信号が制御部３７、通信インターフェース４０、第１シリアルポート４２を経由じて、ＣＰＵ４４に送られる。
　ＣＰＵ４４は、各レリーズ信号のタイミングが時系列画像ファイル装置４Ｂでのどの時系列画像に対応するかの情報をメモリ部４５に記憶する。
　レリーズ信号のたびにこれが繰返えされる。
　次に、記録された画像を検索する場合について以下に説明する。
使用者は時系列画像の検索にあたり、画像入力装置１６のデータ入力部３９より、時系列画像の表示間隔時間データを入力する。つまり、このデータ入力部３９は、所定の時間間隔を任意に設定する時間間隔設定手段としての役目もしている。前記データは、制御部３７、通信インターフェース４０、第１シリアルポート４２を介して、ＣＰＵ４４によってメモリ部４５に記憶される。
　検索が開始されると、ＣＰＵ４４の命令によりメモリ制御部１０６は、信号切換部１０２へ静止画像ファイル装置４ＡからのＲＧＢビデオ信号を選択するように信号を出力し、信号切換部１０２は静止画像ファイル装置４ＡからのＲＧＢビデオ信号を選択する。
　患者データ等の条件により、静止画像ファイル装置４Ａより、検索されたＲＧＢビデオ信号は、それぞれＡ／Ｄ部１０３，１０４，１０５によりディジタル化されて各メモリ部１０７，１１１，１１４で保持される。
　保持されたディジタルデータは、例えば水平方向、垂直方向とも１／３に間引き処理により各メモリ部１０８，１１２，１１５の所定の位置に保持される。
　次の画像が患者データ等の条件により、静止画像ファイル装置４Ａより、検索され前記動作により各メモリ部１０８，１１２，１１５の所定の位置に保持される。
　以上の動作が繰返されてメモリ部１０８，１１２，１１５は、例えば９駒（９フレーム）分の静止画データが格納されるので、これをＴＶモニタ１８Ｂで表示すると、第７図に示すように９フレーム分の静止画１２１，１２２，…，１２９が同時にマルチ表示される。
　次に使用者は、ＴＶモニタ１８Ｂに表示された画像の１２１〜１２９のいずれかの画像を選び画像入力装置１６のデータ入力部３９よりデータを入力する。つまり、このデータ入力部３９は、ＴＶモニタ１８Ｂに表示された静止画像より任意の静止画像を選択する選択手段としての役目もしている。前記データが制御部３７、通信インターフェース４０、第１シリアルポート４２を介して、ＣＰＵ４４により検知されると、選択された静止画像に対応する時系列画像を検索する検索手段でもあるＣＰＵ４４はバスライン４３を介してハードディスク５０に記憶された記録時間間隔と静止画に対応するアドレスで第２シリアルポート４７を介して時系列画像ファイル装置４Ｂへ制御信号を送る。
　またＣＰＵ４４は、バスライン４３、メモリ制御部１０６を介して信号切換器１０２に時系列画像ファイル装置４ＢからのＲＧＢビデオ信号を選択させる。
　ＣＰＵ４４は、前記入力された表示時間間隔でメモリ制御部１０６にフリーズ信号を送る。メモリ制御部１０６は、連続して時系列画像ファイル装置４Ｂから入力されるＲＧＢビデオ信号を前記ＣＰＵ４４からのフリーズ信号で各メモリ部１０７，１１１，１１４に保持させる。保持されたディジタルデータは、前記静止画のマルチ・画面表示の時と同様に間引き処理により各メモリ部１０８，１１２，１１５の所定の位量に保持される。９枚の処理がされた所で作業は中断される。以上の様にして得られた画像が第８図の様にＴＶモニタ１８Ｂに表示される。静止画１２１に対応するのが１３１の画像である。１３２，１３３，…，１３９と入力された表示時間間囁で時系列的に表示されている。ここで１３９の次の画像が見たい時は上記手段により対応する画像を時系列画像ファイル装置４Ｂから呼び出し、例えば１３１の位量の画像を書換えれば良い。１３１の前の画像を見たい時も同様である。
　表示間隔時間を各メモリ部１０７，１１１，１１４から各メモリ部１０８，１１２，１１５に処理する時にスーパーインポーズしてもよい。
　また、静止画に対応する画像を例えば画面の１３５の位置に置いて、その前後を比較する制御を行っても良い。
　マルチ画面表示は９分割でなくてもよいし、静止画と時系列画像を表示する時にそれぞれ分割の駒数を変えても良い。
　この動作を第９図のフローチャートで示してある。
　つまり検索モードにおいて、時系列画像の表示間隔時間のデータを入力すると、第９図のマルチ表示用のメモリ１０８，１１２，１１５には間引かれた静止画データが順次格納され、９フレーム分の静止画データが圧縮されて格納することが終了すると、ＴＶモニタ１８Ｂには第７図に示すような９フレーム分の静止画が表示される。尚、メモリ１０８，１１２，１１５に順次圧縮された静止画データを転送と共に、メモリ１０８，１１２，１１４の画像データを読み出すようにすると画像１２１，１２２，…と順々に表示される（尚、９フレーム分転送してから表示させるようにしても良い）。
　しかして、マルチ表示後、表示された静止画のいずれかを選択するデータ入力を行うと、その選沢された静止画に対応する時系列画像が検索され、上記表示間隔時間のデータに従って、第８図に示すように順番に表示する。
　第８図に示すように時系列画像が表示された後、次の画像又は前の画像を表示させるデータを入力すると、それを判断して次の画像又は前の画像を対応する位置に表示する。例えば第８図において、画像１３９の次の画像を表示するデータ入力を行うと、画像１３９は画像１３８の位置に、画像１３８は１３７の位置に、…のように表示位置がシフトして表示される（又は、画像１３１の位置に画像１３９以降の画像を順次表示させても良い）。
　このようにして所望とする画像を検索したならば、前の画像又は次の画像の表示を希望しないデータ入力を行うと、第７図に戻るので、終了のデータ入力を行えば検索を終了できる。
　尚、この第２実施例又は第１実施例ではＲＧＢ信号で処理しているが、ＮＴＳＣコンポジットビデオ信号又はＹ／Ｃ分離信号で行うようにしても良い。
　第１０図は本発明の第３実施例を示す。
　この第３実施例のシステム２０１は、第１図に示す第１実施例において、静止画像ファイル装置４Ａ及び時系列画像ファイル装置４Ｂの両機能を備え、画像信号を所定の時間間隔の複数の静止画像として記録する画像記録部である画像ファイル装置４Ｃが用いてある。又、この画像ファイル装置４Ｃは画像ファイルコントローラ３’’にて制御される。上記画像ファイルコントローラ３’’の機能を第１１図に示す。この画像ファイルコントローラ３’’は、第２図の画像ファイルコントローラ３が２台の画像ファイバイル装置４Ａ，４Ｂと接続されていたのに対し、１台の画像ファイル装置４Ｃと接続されているので、第２図の画像ファイルコントローラ３において、ビデオ信号切換部４９を有せず、画像ファイル装置４ＣからＲＧＢビデオ信号を撮像手段による画像信号に対する信号処理を行なう信号処理手段である画像入力装置１６に出力する。又、第２図において、ビデオ信号分配部４１を有せず、画像入力装置１６から出力されるＲＧＢビデオ信号を記録制御メモリ部２０２を解して画像ファイル装置４Ｃに出力する。
　さらに、第３シリアルポート４８を有しない。
　次に上記記録制御メモリ部２０２の構成を第１２図を参照して以下に説明する。
　画像入力装置１６からのＲビデオ信号はＡ／Ｄ部２０３に入力される。Ａ／Ｄ部２０３によってディジタル化された信号はＲメモリ部２０４に入力される。Ｒメモリ部２０４によって保持されたディジタルデータはＤ／Ａ部２０５に入力される。Ｄ／Ａ部２０５によってアナログ化されたＲビデオ信号ば画像ファイル装置４Ｃに送出される。
　画像入力装置１６からのＧビデオ信号はＡ／Ｄ部２０６に入力される。Ａ／Ｄ部２０６によってディジタル化された信号はＧメモリ部２０７に入力される。Ｇメモリ部２０７によって保持されたディジタルデータはＤ／Ａ部２０８に入力される。Ｄ／Ａ部２０８によってアナログ化されたＧビデオ信号は画像ファイル装置４Ｃに送出される。
　画像入力装置１６からのＢビデオ信号はＡ／Ｄ部２０９に入力される。Ａ／Ｄ部２０９によってディジタル化された信号はＢメモリ部２１１とＢ基準メモリ部２１２に入力される。Ｂメモリ部２１１によって保持されたディジタルデータはＤ／Ａ部２１３と、画像信号を以前の画像信号と比較する画像信号比較手段である比較器２１４に入力される。Ｄ／Ａ部２１３によってアナログ化されたビデオ信号は画像ファイル装置４Ｃに送出される。Ｂ基準メモリ部２１２によって保持されたディジタルデータは比較器２１４に入力される。比較器２１４は、入力される２系統の画像データを比較した結果をメモリ制御部１５に出力する。
　画像入力装置１６からの同期信号はメモリ制御部２１５に入力される。メモリ制御部２１５はＡ／Ｄ部２０３，２０６，２０９それぞれへクロック信号を出力する。またメモリ部２１２へそれぞれ書込み、読出し制御信号を出力する。またメモリ制御部２１５は、Ｄ／Ａ部２０５，２０８，２１３それぞれクロック信号を出力する。
　メモリ制御部２１５は、同期信号を画像ファイル装置４Ｃに出力する。
　上記記録制御メモリ部２０２は、画像入力装置１６から入力されるＲＧＢビデオ信号が予め設定した条件に適合すると、記録条件を変更する等して画像ファイル装置４Ｃに記録するのに用いられる。
　次にこの実施例の作用を以下に説明する。
　使用者は時系列画像の記録にあたり、画像入力装置１６のデータ入力部３９（第３図参照）より、比較器２１４の条件やそれに対する記録間隔のデータを入力する。前記データは、制御部３７、通信インターフェース４０（第３図参照）、及び第１シリアルポート４２を介して、ＣＰＵ４４によってメモリ部４５に記憶される。
　次に使用者は、画像入力装置１６のデータ入力部３９より記録のスタート信号を入力する。前記スタート信号が制御部３７、通信インターフェース４０、第１シリアルポート４２を介して、ＣＰＵ４４により検知されると、比較器２１４の出力に応じて所定の時間間隔を変更する時間間隔変更手段でもあるＣＰＵ４４はバスライン４３を介してメモリ部４５に記憶された初期の記録間隔でメモリ制御部２１５にフリーズの信号を送ると共に第２シリアルポート４７を介して画像ファイル装置４Ｃヘレリーズ信号を送る。
　メモリ制御部２１５は、前記フリーズ信号により同期信号に同記して、Ｒメモリ部２０４、Ｇメモリ部２０７、Ｂメモリ部２１１の画像フリーズする。
　この時最初の画像のブルー成分のみＢ基準メモリ部２１２へ記憶させる。
　比較器２１４は、Ｂ基準メモリ部２１２と次々と書換えられるＢメモリ部２１１のそれぞれの画像データの平均値の差のデータをメモリ制御部２１５を介してＣＰＵ４４に送る。
　ＣＰＵ４４は、前記差のデータとメモリ部４５に記憶された設定データを比較して、前記差のデータが大きくなった時、メモリ部４５に記憶された２番目の記録間隔でメモリ制御２１５にフリーズの信号を送ると共に第２シリアルポート４７を介して画像ファイル装置４Ｃヘレリーズ信号を送る。
　前記差のデータが小さくなると、初期の記録間隔に戻る。
　前記間隔の状態は、メモリ部４５に一時保管されて、画像入力装置１６のデータ入力部３９からの記録ストップ信号により、ハードディスクコントロール部４６を介してハードディスク５０に記録される。
　この記録時の処理プロセスは第１３図に示す。
　記録を行う際、使用者は比較器２１４の基準レベルの条件の設定データ、初期時の記録間隔（例えば１秒間に１０枚記録する等の記録間隔）の設定データ、前記条件に適合する場合における第２の記録間隔（例えば１秒間に２０枚等で記録する記録間隔）の設定データを入力する。
　上記設定データは、一時メモリ部４５に記憶される。次に、スタート信号の入力を行うと、Ｒ，Ｇ，Ｂメモリ部２０４，２０７，２１１及びＢ基準メモリ部２１２のフリーズ、画像ファイル装置４Ｃのレリーズが行われる。次に、初期の時間間隔で、次の画像がフリーズ及びレリーズされる。この画像のＢ画像成分に対して、Ｂ基準メモリ部２１２との差が計算され、設定値以内であれば、初期の時間間隔で次の画像のフリーズ及びレリーズが繰返される。
　一方、上記比較器２１４により設定値より大きな差が検出された場合には、第２の記録間隔（短い間隔）でフリーズ及びレリーズが行われる。
　しかして、再び設定値より小さくなると、再び初期の時間間隔で記録が行われる。
　尚、ストップ信号が入力されると、メモリ部４５に一時記憶されていたデータがハードディスク５０に格納される。
　記録後動画再生の時は、ハードディスク５０に記録された記録間隔のデータによって、第２シリアルポート４７を介して画像ファイル装置４Ｃへ制御信号を送る。
　しかして、ＴＶモニタ１８Ｂにより、記録画像が順次表示される。この場合、記録データの時間間隔で連続的に表示できるし、駒送り等もできる。
　記録間隔の設定は、記録始めから１０秒間は１秒間隔にとり、１０秒後からは．５秒間隔にとるというように２段、さらには３段設定による記録間隔の設定でも良い。
　又、比較するデータを２値以上で設定して、これらの条件に応じて２つ以上の記録間隔等で記録するようにしても良い。
　この第３実施例によれば、１台の画像ファイル装置４Ｃにて、静止画像、時系列画像を記録できると共に、共通に管理できる。
　又、注目すべき画像に対しては、異なる記録条件で記録できるので、その記録画像により注目すべき部位を詳しく調べられる。
　尚、上記第３実施例では、Ｂ画像により比較を行っているが、Ｒ又はＧ画像その他で比較を行うようにしても良い。又、これらを組合わせた複数の画像で比較を行うようにしても良い。
　又、撮像された画像の中央部等、一部の領域で比較等を行うようにして、注目すべき部位が後で調べ易い部分に達した場合に、記録間隔を変えて（短くして）記録を行うようにしても良い。
　尚、例えば内視鏡装置２としては、電子スコープ１０に限らず、ファイバスコープの接眼部にＴＶカメラを装着したもので構成することもできる。
　又、検索のみを行う場合には、内視鏡装置２としては、電子スコープ１０等を用いないで画像入力装置１６のみで使用することもできる。
［発明の効果］
　以上述べたように本発明によれば、静止画像と時系列画像を共通して管理する記録画像管理手段を設けてあるので、静止画像あるいは時系列画像の検索を容易に行うことができる。
【図面の簡単な説明】
　第１図ないし第４図は本発明の第１実施例に係り、第１図は第１実施例の画像ファイルシステムの全体的構成図、第２図は画像ファイルコントローラの内部構成を示すブロック図、第３図は内視鏡装置の構成を示すブロック図、第３図は内視鏡装置の構成を示すブロック図、第４図は１検査の画像記録の際に、メモリ部に一時的に記録される情報データの１例を示す説明図、第５図ないし第９図は本発明の第２実施例に係り、第５図は第２実施例における画像ファイルコントローラの構成を示すブロック図、第６図はビデオ信号編集部の構成を示すブロック図、第７図は検索の際にモニタ画面に静止画がマルチ表示されることを示す説明図、第８図はモニタ画面に時系列画がマルチ表示されることを示す説明図、第９図は第２実施例における検索モードでの処理プロセスを示すフローチャート図、第１０図ないし第１３図は本発明の第３実施例に係り、第１１図は画像ファイルコントローラの構成を示すブロック図、第１２図は記録制御メモリ部の１例を示すブロック図、第１３図は第３実施例の記録モードでの処理プロセスを示すフローチャート図である。
１…画像ファイルシステム
２…内視鏡装置
３…画像ファイルコントローラ
４Ａ…静止画像ファイル画像
４Ｂ…時系列画像ファイル装置
１０…電子スコープ
１６…画像入力装置
１８Ａ，１８Ｂ…ＴＶモニタ
３９…データ入力部
４４…ＣＰＵ
４５…メモリ部
５０…ハードディスク